(57)【特許請求の範囲】
【請求項１】
出力方式の異なる複数種類のアラーム発生源と、
前記複数種類のアラーム発生源のうち、何れかの前記アラーム発生源が単独で駆動する単独駆動モード、及び前記複数種類のアラーム発生源のうち、少なくとも２種類の前記アラーム発生源が同時に駆動する同時駆動モードを切り替える第１スイッチと、
前記単独駆動モードにおいて、前記複数種類のアラーム発生源のうち、駆動させる前記アラーム発生源の種類を切り替える第２スイッチと、を備え、
前記第１スイッチは、筐体における時刻表示面上に配置され、
前記第２スイッチは、前記筐体における前記時刻表示面以外の面上に配置されていることを特徴とする目覚まし時計。
【請求項２】
前記第１スイッチの操作結果を報知する報知部を備えていることを特徴とする請求項１に記載の目覚まし時計。
【請求項３】
前記アラーム発生源は、それぞれ機械式音源、電子音源、発光源、振動源及び発臭源の何れかで構成されていることを特徴とする請求項１又は請求項２に記載の目覚まし時計。
【請求項４】
前記アラーム発生源は、
機械式音源で構成された第１アラーム発生源と、
電子音源で構成された第２アラーム発生源と、を備えていることを特徴とする請求項１から請求項３の何れか１項に記載の目覚まし時計。
【請求項５】
前記第１アラーム発生源から発生するアラーム音の伝達方向と、前記第２アラーム発生源から発生するアラーム音の伝達方向と、の少なくとも一部が一致していることを特徴とすることを特徴とする請求項４記載の目覚まし時計。
【請求項６】
前記第１アラーム発生源から発生するアラーム音の伝達方向と、前記第２アラーム発生源から発生するアラーム音の伝達方向と、が前記筐体の時刻表示面側において一致していることを特徴とする請求項５記載の目覚まし時計。
【請求項７】
前記アラーム発生源は、複数種類の駆動パターンで駆動可能とされていることを特徴とすることを特徴とする請求項１から請求項６の何れか１項に記載の目覚まし時計。
【発明の詳細な説明】
【技術分野】
【０００１】
本発明は、目覚まし時計に関するものである。
【背景技術】
【０００２】
目覚まし時計に搭載されるアラーム発生源としては、リンが打撃されて発生する機械音をアラームとして用いる機械式音源や、発音体から発生する電子音をアラームとして用いる電子音源等の種々の出力方式が用いられている。しかしながら、目覚まし時計では、アラーム発生源から発生するアラームが限られると、長期間の使用によってユーザがアラームに慣れてしまい、ユーザを覚醒できないおそれがある。
【０００３】
そこで、例えば特許文献１には、打ち玉がリンを打撃する位置と、打ち玉がリンから離間した位置と、に切り替える切替手段を備えた構成が開示されている。この構成によれば、打ち玉がリンを打撃する位置では機械音を発生させ、打ち玉がリンから離間した位置では振動を発生させることができるので、アラームの出力方式に変化を与え、アラームが飽きられ難くなるものと考えられる。
【先行技術文献】
【特許文献】
【０００４】
【特許文献１】特開平８−２９２２７４号公報
【発明の概要】
【発明が解決しようとする課題】
【０００５】
しかしながら、上述した特許文献１の構成にあっては、ユーザを確実に覚醒させる点で未だ改善の余地があった。例えば、特許文献１の構成では、機械音及び振動の何れか一方の出力方式でしかアラームを出力できないので、やはりユーザに飽きられてしまうおそれがある。また、一つのアラーム発生源から発生するアラームの音量の大きさには限界があり、これもユーザに飽きられる要因となる。
【０００６】
そこで、本発明は、上記事情に鑑みたものであって、ユーザに飽きられ難くするとともに、ユーザが容易に覚醒できる目覚まし時計を提供することである。
【課題を解決するための手段】
【０００７】
上記の課題を解決するため、本発明の目覚まし時計は、出力方式の異なる複数種類のアラーム発生源と、前記複数種類のアラーム発生源のうち、何れかの前記アラーム発生源が単独で駆動する単独駆動モード、及び前記複数種類のアラーム発生源のうち、少なくとも２種類の前記アラーム発生源が同時に駆動する同時駆動モードを切り替える第１スイッチと、前記単独駆動モードにおいて、前記複数種類のアラーム発生源のうち、駆動させる前記アラーム発生源の種類を切り替える第２スイッチと、を備え、前記第１スイッチは、筐体における時刻表示面上に配置され、前記第２スイッチは、前記筐体における前記時刻表示面以外の面上に配置されていることを特徴とする。
【０００８】
この構成によれば、出力方式の異なるアラーム発生源で発生するアラーム音の組み合わせにより、例えば大音量で刺激的なアラームを発生させることができる。これにより、ユーザを容易に覚醒できるとともに、長期間の使用によっても飽きられ難い目覚まし時計を提供できる。
【０００９】
また、単独駆動モードと同時駆動モードとが切替可能に構成されているため、アラームの駆動パターンに変化を与えることができ、ユーザに飽きられ難い目覚まし時計を提供できる。
【００１０】
また、同時駆動モード及び単独駆動モード間での切り替えと、単独駆動モードにおけるアラーム発生源の切り替えと、を別々のスイッチで行うことで、各モードの切替方法をユーザが簡単に認識できる。これにより、操作性を向上させ、誤操作の発生等を抑制できる。
【００１１】
また、筐体の時刻表示面上に第１スイッチが配置されているので、第２スイッチよりも第１スイッチを目立たせることが可能になる。これにより、同時駆動モードのＯＮ／ＯＦＦの切替方法をユーザが簡単に認識できる。さらに、第１スイッチ及び第２スイッチが離れて配置されることになるので、誤操作の発生等を確実に抑制できる。
【００１２】
本発明に係る目覚まし時計において、前記第１スイッチの操作結果を報知する報知部を備えていてもよい。
この構成によれば、第１スイッチの操作結果を報知する報知部を備えているので、同時駆動モードのＯＮ／ＯＦＦ状態をユーザが容易に認識できる。
【００１３】
本発明に係る目覚まし時計において、前記アラーム発生源は、それぞれ機械式音源、電子音源、発光源、振動源及び発臭源の何れかで構成されていてもよい。
この構成によれば、アラーム発生源が機械式音源、電子音源、発光源、振動源及び発臭源の何れかで構成されているため、長期間の使用によっても飽きられ難い目覚まし時計を提供できる。
【００１４】
本発明に係る目覚まし時計において、前記アラーム発生源は、機械式音源で構成された第１アラーム発生源と、電子音源で構成された第２アラーム発生源と、を備えていてもよい。
この構成によれば、第１アラーム発生源を機械式音源で構成し、第２アラーム発生源を電子音源で構成することで、同時駆動モードにおいて、出力方式の異なるアラーム音が重ね合わされ、大音量で刺激的なアラームを発生させることができる。
【００１５】
本発明に係る目覚まし時計において、前記第１アラーム発生源から発生するアラーム音の伝達方向と、前記第２アラーム発生源から発生するアラーム音の伝達方向と、の少なくとも一部が一致していてもよい。
この構成によれば、第１アラーム発生源から発生するアラーム音の伝達方向と、第２アラーム発生源から発生するアラーム音の伝達方向と、の少なくとも一部が一致しているため、ユーザに対して効果的にアラームを伝達させることができる。これにより、ユーザをより簡単に覚醒させることができる。
【００１６】
本発明に係る目覚まし時計において、前記第１アラーム発生源から発生するアラーム音の伝達方向と、前記第２アラーム発生源から発生するアラーム音の伝達方向と、が前記筐体の時刻表示面側において一致していてもよい。
この構成によれば、時計表示面側をユーザに向けて使用する通常使用時において、ユーザに対してより効果的にアラームを伝達でき、ユーザをさらに簡単に覚醒させることができる。
【００１７】
本発明に係る目覚まし時計において、前記アラーム発生源は、複数種類の駆動パターンで駆動可能とされていてもよい。
この構成によれば、複数種類の駆動パターンが駆動可能とされているので、ユーザの気分等に応じて任意の駆動パターンを選択できる。これにより、長期間の使用によっても飽きられ難い目覚まし時計を提供できる。
【発明の効果】
【００１８】
本発明によれば、ユーザに飽きられ難くするとともに、ユーザが容易に覚醒できる。
【図面の簡単な説明】
【００１９】
【図１】本発明の実施形態に係る目覚まし時計の斜視図である。
【図２】図１に示す目覚まし時計の正面図である。
【図３】図１に示す目覚まし時計の平面図である。
【図４】図１に示す目覚まし時計の背面図である。
【図５】目覚まし時計のブロック図である。
【発明を実施するための形態】
【００２０】
次に、本発明の実施形態を図面に基づいて説明する。
［目覚まし時計］
図１は実施形態に係る目覚まし時計１の斜視図である。図２は目覚まし時計１の正面図である。図３は目覚まし時計１の平面図である。図４は目覚まし時計１の背面図である。
図１〜図４に示す目覚まし時計１は、アナログクォーツ式の卓上時計であって、外観が扁球状を呈している。具体的に、目覚まし時計１は、時刻を計時する時計体２（図２参照）と、時刻を表示する時刻表示部３と、アラームを発生させるアラーム発生源４，５と、時計体２や時刻表示部３、アラーム発生源４，５を操作する操作部１１〜１５と、制御部１６（図５参照）と、を備えている。また、目覚まし時計１は、上述した各構成品が筐体２１に搭載されて構成されている。なお、図中において、矢印ＵＰは鉛直上方を示し、矢印ＦＲは前方を示し、矢印ＬＨは前方を見たときの左側を示している。
【００２１】
本実施形態の目覚まし時計１には、上述したアラーム発生源４，５として出力方式の異なる２種類のアラーム発生源（第１アラーム発生源４及び第２アラーム発生源５）が搭載されている。目覚まし時計１では、アラーム発生源４，５のうち、何れかのアラーム発生源４，５が単独で駆動する単独駆動モードと、アラーム発生源４，５が同時に駆動する同時駆動モードと、が切り替えられるように構成されている。
【００２２】
筐体２１は、載置面に載置されるケース本体２２と、ケース本体２２に配設された文字板３１を覆うカバー２３と、を備えている。ケース本体２２は、上方及び後方に向けて膨出する曲面部２２ａと、曲面部２２ａの前方に連なり前方に向かうに従い下方に向けて傾斜する傾斜壁（時刻表示面）２２ｂと、を有している。また、ケース本体２２における左右方向の両側壁２２ｃは、左右方向に直交する方向（上下方向及び前後方向）に延びる平坦面とされ、曲面部２２ａ及び傾斜壁２２ｂにおける左右両端縁同士をそれぞれ架け渡している。
【００２３】
図２に示すように、ケース本体２２の傾斜壁２２ｂのうち、左右両側の下部には、後方に向けて窪む一対の放出部２４が形成されている。これら放出部２４の底部には、第２アラーム発生源５から発生するアラームをケース本体２２の外部に放出するための複数の放出孔２５がそれぞれ形成されている。放出孔２５は、前方から見た平面視で上下方向に交差する方向に沿って延びるスリット状とされ、左右方向に間隔をあけて配列されている。
【００２４】
カバー２３は、光透過性を有する材料（例えば、アクリル等の透明又は半透明な材料）からなり、前方に向けて膨出する曲面状を呈している。カバー２３は、ケース本体２２の傾斜壁２２ｂのうち、上述した放出孔２５及び後述する第１スイッチ１１を回避した領域を全域に亘って覆っている。
【００２５】
時刻表示部３は、時刻に関する情報を示す文字板３１と、文字板３１の前方に配設された各種指針３２〜３５と、を有している。
文字板３１は、ケース本体２２のうち傾斜壁２２ｂの中央部に配設され、カバー２３によって視認可能に覆われている。
指針３２〜３５は、時針３２、分針３３、秒針３４及びアラーム針３５を備えている。これら指針３２〜３５は、それぞれの基端部が軸心Ｃに同軸上に配置されるとともに、軸心Ｃ周りに回転可能に構成されている。
【００２６】
時計体２は、上述した時針３２、分針３３及び秒針３４を軸心Ｃ周りに回転させる図示しないムーブメントと、ステップモータや水晶ユニット、回路基板等のムーブメントを駆動させる図示しない駆動部と、を有している。
【００２７】
＜アラーム発生源＞
アラーム発生源４，５は、機械式音源により構成された第１アラーム発生源４と、電子音源により構成された第２アラーム発生源５と、を有している。
第１アラーム発生源４は、筐体２１の左右両側に一対配設されている。なお、各第１アラーム発生源４は、左右対称の構成であるため、以下の説明では一方（左側）の第１アラーム発生源４について説明し、他方の第１アラーム発生源４の説明は省略する。
【００２８】
図１〜図４に示すように、第１アラーム発生源４は、リン４１と、リン４１を打撃する打撃部４２と、を有している。
リン４１は、左右方向の外側（左側）に向けて突出する半球状を呈し、ケース本体２２の側壁２２ｃから延びる軸部材４３に軸支されている。この場合、リン４１は、左右方向の内側端縁（開口縁）と、ケース本体２２の側壁２２ｃと、の間に左右方向に隙間をあけた状態でケース本体２２に取り付けられている。
打撃部４２は、ケース本体２２の後部に搭載されている。なお、打撃部４２は、駆動モータ（不図示）や、駆動モータの回転によってリン４１を外側から打撃する打ち玉（不図示）等を有している。この場合、打ち玉によってリン４１が打撃されると、その打音（機械音）がアラーム音としてリン４１や、リン４１と側壁２２ｃとの間の隙間等から放射状に伝達される。なお、各第１アラーム発生源４は、リン４１の厚さを異ならせる等して、各第１アラーム発生源４間で周波数を変えても構わない。また、リン４１を内側から打撃するようにしても構わない。
【００２９】
第２アラーム発生源５は、ケース本体２２内において、上述した各放出部２４に対応する位置（放出部２４の後方）にそれぞれ配設されている。各第２アラーム発生源５は、電子音を発生させる図示しない発音体を備えている。この場合、発音体から発生した電子音は、アラーム音として放出孔２５を通してケース本体２２の外部（前方）に向けて放出される。すなわち、本実施形態において、第１アラーム発生源４から発生するアラーム音の伝達方向と、第２アラーム発生源５から発生するアラーム音の伝達方向と、が少なくとも一部（目覚まし時計１の前方（傾斜壁２２ｂ側））で一致している。
【００３０】
＜操作部＞
操作部１１〜１５は、第１スイッチ１１や第２スイッチ１２、スヌーズ／点灯スイッチ１３、メインスイッチ１４、調整ノブ１５等を有している。
第１スイッチ１１は、上述した傾斜壁２２ｂの下部における左右方向の中央部（左右方向における放出部２４間に位置する部分）に、後方に向けて押下操作可能に配設されている。第１スイッチ１１は、押下操作によって同時駆動モードのＯＮ／ＯＦＦを切り替える。第１スイッチ１１の中央部は、光透過性を有する材料からなる透光部１１ａとなっている。透光部１１ａは、ケース本体２２内において第１スイッチ１１の後方に配置された図示しない報知用光源（報知部）から出射される光をケース本体２２の外部に向けて放出させる。なお、報知用光源は、第１スイッチ１１の操作に連動し、第１スイッチ１１の操作結果をユーザが視覚によって認識可能となっている。また、報知用光源は、第１スイッチ１１のＯＮ操作時とＯＦＦ操作時で色や点灯時間等を変えても構わない。
【００３１】
また、本実施形態では、第１スイッチ１１の操作結果を報知する報知部として、図示しない報知用発音体を有している。報知用発音体は、同時駆動モードのＯＮ／ＯＦＦの切替時等に電子音を発生させ、後述する第１スイッチ１１の操作結果をユーザに聴覚によって認識させる。この場合、報知用発音体は、第１スイッチ１１のＯＮ操作時とＯＦＦ操作時でメロディや動作時間等を変えても構わない。なお、報知用発音体は、メインスイッチ１４がＯＦＦ状態において、第１スイッチ１１を押下操作した場合に、第１スイッチ１１の操作が無効であることを電子音によって報知するようにしても構わない。
【００３２】
第２スイッチ１２は、ケース本体２２の曲面部（時刻表示面以外の面）２２ａに形成された段差部２２ｄ内に配設され、左右方向にスライド操作可能に構成されている。第２スイッチ１２は、単独駆動モードで動作させるアラーム発生源４，５を選択するとともに、選択したアラーム発生源４，５の音量（大音量又は小音量）を選択する。なお、図示の例において、段差部２２ｄは左右方向から見た側面視でＬ字状を呈し、上方及び後方に向けて開放されている。
【００３３】
スヌーズ／点灯スイッチ１３は、ケース本体２２の曲面部２２ａのうち、段差部２２ｄよりも前方に位置する部分に、下方に向けて押下操作可能に配設されている。スヌーズ／点灯スイッチ１３は、アラーム発生源４，５の駆動時には押下操作によってスヌーズモード（アラームを一旦停止させた後、一定時間間隔で再びアラームを発生させる機能）を作動させる。また、スヌーズ／点灯スイッチ１３は、アラーム発生源４，５の非駆動時には押下操作によってケース本体２２内に搭載された図示しない光源を作動させる。これにより、文字板３１が光源から出射された光で照らされる。なお、スヌーズ／点灯スイッチ１３は、アラーム発生源４，５の非駆動時の押下操作によって、報知用光源や報知用発音体を作動させ、同時駆動モードのＯＮ／ＯＦＦ状態をユーザに報知できるようにしても構わない。
【００３４】
図４に示すように、メインスイッチ１４は、曲面部２２ａの後部に形成された凹部２２ｅ内に配設され、上下方向にスライド操作可能に構成されている。メインスイッチ１４は、アラーム発生源４，５のＯＮ／ＯＦＦを切り替える。
調整ノブ１５は、凹部２２ｅ内から後方に向けて突設され、前後方向に沿う軸線周りの回転操作可能に構成されている。調整ノブ１５は、回転操作によって時刻の調整やアラーム時刻の調整を行い、上述した各種指針３２〜３５を回転させる。
【００３５】
＜制御部＞
図５は、目覚まし時計１のブロック図である。
図５に示すように、制御部１６は、ＣＰＵ、ＲＡＭ、ＲＯＭ、インターフェース回路等を含む電子回路ユニットにより構成され、目覚まし時計１の各構成品を統括して制御する。制御部１６は、例えばアラーム検出部や駆動モード設定部、アラーム出力部等を有している。
【００３６】
アラーム検出部は、時計体２から出力されるアラーム発生源４，５を駆動させる時刻であることを知らせるアラーム信号を検出する。
駆動モード設定部は、第１スイッチ１１及び第２スイッチ１２から出力されるモード信号に基づいてアラーム発生源４，５の駆動モードを切り替える。
アラーム出力部は、アラーム検出部の検出結果及び駆動モード設定部の設定結果に基づいてアラーム発生源４，５にアラームの駆動信号を出力する。
【００３７】
［目覚まし時計の動作方法］
次に、上述した目覚まし時計１の動作方法を説明する。なお、以下の説明では、メインスイッチ１４がＯＮ状態で、かつ同時駆動モードがＯＦＦ状態の場合を初期状態とする。また、以下の説明では、調整ノブ１５が回転操作され、所定の時刻にアラームが予めセットされている。
まず、単独駆動モードについて説明する。
単独駆動モードでは、第２スイッチ１２をスライド操作して、各アラーム発生源４，５のうち動作させるアラーム発生源４，５を選択するとともに、動作させるアラーム発生源４，５の音量を選択する。第２スイッチ１２の操作結果は、モード信号として制御部１６（駆動モード設定部）に出力される。
【００３８】
そして、アラームの設定時刻になると、時計体２から制御部１６（アラーム検出部）に向けてアラーム信号が出力される。すると、制御部１６は、駆動モード設定部で設定されたアラーム発生源４，５に向けてアラームの駆動信号を出力する。これにより、アラーム発生源４，５のうち何れかのアラーム発生源４，５が駆動し、所定の音量のアラームが発生する。そして、各アラーム発生源４，５の何れかから発生したアラーム音がユーザに伝達されることで、ユーザの覚醒を図ることができる。
なお、本実施形態の第１アラーム発生源４において、音量の調整は打撃部４２の駆動モータの回転数を変更したり、駆動モータに印可する電流を大きくすることで駆動力を大きくして、リン４１を強く叩いたりすることによって行ってもよく、駆動させる第１アラーム発生源４の数で行ってもよい。
【００３９】
次に、同時駆動モードについて説明する。
まずは、第１スイッチ１１を押下操作して、単独駆動モードから同時駆動モードに切り替える。すると、第１スイッチ１１の操作結果が、モード信号として制御部１６（駆動モード設定部）に出力される。なお、制御部１６は、モード信号を受信すると、図示しない報知用光源や報知用発音体に切替信号を出力して、報知用光源や報知用発音体を作動させる。これにより、第１スイッチ１１の透光部１１ａを通して同時駆動モードのＯＮ操作を報知するための光が放出されるとともに、放出孔２５等を通して報知用発音体から同時駆動モードへのＯＮ操作を報知するための電子音が放出される。
【００４０】
そして、時計体２から制御部１６（アラーム検出部）に向けてアラーム発生源４，５を駆動させる時刻であることを知らせるアラーム信号が出力されると、制御部１６は各アラーム発生源４，５に向けてアラームの駆動信号を出力する。これにより、各アラーム発生源４，５の双方が駆動し、各アラーム発生源４，５からそれぞれ出力方式の異なるアラーム音が重ね合わされた大音量のアラーム音が発生する。そして、各アラーム発生源４，５の双方から発生したアラーム音がユーザに伝達されることで、ユーザの覚醒を図ることができる。
【００４１】
なお、同時駆動モードから単独駆動モードに切り替える場合には、第１スイッチ１１を再び押下操作する。すると、第１スイッチ１１の操作結果が、モード信号として制御部１６（駆動モード設定部）に出力される。そして、制御部１６は、モード信号を受信すると、図示しない報知用光源や報知用発音体に切替信号を出力して、報知用光源や報知用発音体を作動させる。これにより、第１スイッチ１１の透光部１１ａを通して同時駆動モードのＯＦＦ操作（単独駆動モードへの切替）を報知するための光が出射されるとともに、放出孔２５等を通して報知用発音体から同時駆動モードのＯＦＦ操作を報知するための電子音が放出される。
【００４２】
このように、本実施形態では、出力方式の異なる複数種類のアラーム発生源４，５が同時に駆動可能とされた構成とした。
この構成によれば、出力方式の異なるアラーム発生源４，５で発生するアラーム音の組み合わせにより、出力方式の異なるアラーム音が重ね合わされた大音量で刺激的なアラームを発生させることができる。これにより、ユーザを容易に覚醒できるとともに、長期間の使用によっても飽きられ難い目覚まし時計１を提供できる。
【００４３】
また、本実施形態では、単独駆動モードと同時駆動モードとが切替可能に構成されているため、アラームの駆動パターンに変化を与えることができ、ユーザに飽きられ難い目覚まし時計１を提供できる。
【００４４】
さらに、本実施形態では、同時駆動モード及び単独駆動モード間での切り替えと、単独駆動モードにおけるアラーム発生源４，５の切り替えと、を別々のスイッチ１１，１２で行うことで、各モードの切替方法をユーザが簡単に認識できる。これにより、操作性を向上させ、誤操作の発生等を抑制できる。
しかも、ケース本体２２のうち、時刻表示面となる傾斜壁２２ｂ上に第１スイッチ１１が配置されているので、曲面部２２ａに配置された第２スイッチ１２よりも第１スイッチ１１を目立たせることが可能になる。これにより、同時駆動モードのＯＮ／ＯＦＦの切替方法をユーザがより簡単に認識できる。さらに、第１スイッチ１１及び第２スイッチ１２が離れて配置されることになるので、誤操作の発生等を確実に抑制できる。
【００４５】
また、第１スイッチ１１の操作結果を報知する報知部（報知用光源や報知用発音体）を備えているので、同時駆動モードのＯＮ／ＯＦＦ状態をユーザが容易に認識できる。
【００４６】
さらに、第１アラーム発生源４を機械式音源で構成し、第２アラーム発生源５を電子音源で構成することで、同時駆動モードにおいて、出力方式の異なるアラーム音が重ね合わされ、大音量で刺激的なアラームを発生させることができる。
【００４７】
また、第１アラーム発生源４から発生するアラーム音の伝達方向と、第２アラーム発生源５から発生するアラーム音の伝達方向と、の一部が一致しているため、ユーザに対して効果的にアラーム音を伝達させることができる。これにより、ユーザをより簡単に覚醒させることができる。
【００４８】
しかも、第１アラーム発生源４から発生するアラーム音の伝達方向と、第２アラーム発生源５から発生するアラーム音の伝達方向と、が目覚まし時計１の前方に向けて一致しているため、傾斜壁２２ｂ側（文字板３１側）をユーザに向けて使用する通常使用時において、ユーザに対してより効果的にアラームを伝達でき、ユーザをさらに簡単に覚醒させることができる。
【００４９】
なお、本発明の技術範囲は上述した実施形態に限定されるものではなく、本発明の趣旨を逸脱しない範囲において種々の変更を加えることが可能である。
例えば、上述した実施形態では、２種類のアラーム発生源４，５が搭載された構成について説明したが、３種類以上の複数のアラーム発生源が搭載され、これらアラーム発生源のうち少なくとも２種類以上のアラーム発生源が同時に駆動する構成であっても構わない。
【００５０】
また、各アラーム発生源４，５は、同時駆動モードの駆動期間中において、少なくとも一部の期間で同時に駆動していれば、その駆動パターンは適宜変更が可能である。すなわち、アラーム発生源４，５は、駆動期間のうち全期間で各アラーム発生源４，５が同時で駆動する構成にしてもよい。また、アラームの駆動期間中において、一部の期間では各アラーム発生源４，５が同時に駆動し、その他の期間では何れかのアラーム発生源４，５が駆動する（各アラーム発生源４，５が時間差で駆動する）構成でも構わない。
また、各アラーム発生源４，５は、駆動期間やメロディの異なる複数種類の駆動パターンを有しても構わない。この構成によれば、各駆動モードにおいて、複数種類の駆動パターンの中からユーザの気分等に応じて任意の駆動パターンを選択できるので、長期間の使用によっても飽きられ難い目覚まし時計１を提供できる。
【００５１】
上述した実施形態では、アラーム発生源として、機械式音源及び電子音源を用いた構成について説明したが、これに限られない。例えば、発光源、振動源及び発臭源を用いても構わない。発臭源を用いたアラーム発生源としては、例えばアラームの設定時刻になると、ファンが回転することで、カートリッジに収容される芳香剤等をケース本体２２の外部に揮散させる構成を採用することができる。
また、アラーム発生源としては、上述した種々の出力方法の他、アラームの設定時刻になると、筐体２１自体が移動したり、筐体２１に搭載された可動体が筐体２１に対して移動したりする構成を採用しても構わない。さらに、アラーム発生源として、音声入力部に入力された音声を、発音体を通してアラーム音として発生させる構成を採用しても構わない。
このように、出力方式の異なる複数種類のアラーム発生源を同時に駆動させることで、長期間の使用によっても飽きられ難い目覚まし時計１を提供できる。
【００５２】
上述した実施形態では、同時駆動モードのＯＮ／ＯＦＦ状態を報知する報知部として、報知用光源や報知用発音体を用いた場合について説明したが、これに限らず、ユーザの視覚や聴覚を通して認識させる構成は種々変更可能である。また、振動源や発臭源を報知部に採用しても構わない。
【００５３】
上述した実施形態では、アナログクォーツ式の目覚まし時計１に本発明を適用した場合について説明したが、これに限らず、デジタル式の目覚まし時計１に本発明を適用しても構わない。
上述した実施形態では、同時駆動モードと単独駆動モードとを切替可能に構成した場合について説明したが、これに限らず、少なくとも同時駆動モードを有していれば構わない。
上述した実施形態では、第１アラーム発生源４を筐体２１の左右両側に配置し、放出部２４を筐体２１の前部に配置した場合について説明したが、これに限らず、各アラーム発生源４，５のレイアウトは、適宜変更が可能である。
【００５４】
上述した実施形態では、同時駆動モードの切替を行う第１スイッチ１１及び単独駆動モードの切替を行う第２スイッチ１２を有する構成について説明したが、これに限られない。各種モードの切替を一つのスイッチで行っても構わない。
上述した実施形態では、第１スイッチ１１が押下操作、第２スイッチ１２がスライド操作する構成とした場合について説明したが、これに限らず、回転操作等、種々の構成を採用することが可能である。さらに、各種モードの切替は、上述した実施形態のようなメカスイッチではなく、タッチパネル等で行っても構わない。
【００５５】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００５６】
１…目覚まし時計
４…第１アラーム発生源
５…第２アラーム発生源
１１…第１スイッチ
１２…第２スイッチ
２１…筐体
２２ａ…曲面部（時刻表示面以外の面）
２２ｂ…傾斜壁（時刻表示面）
【図１】
0006516124.tif 000002
【図２】
0006516124.tif 000003
【図３】
0006516124.tif 000004
【図４】
0006516124.tif 000005
【図５】
0006516124.tif 000006